(57)【要約】【課題】より簡便な仕方でＬＥＤヘッドの焦点ボケを検出する電子写真記録装置を提供する。【解決手段】搬送ベルト上に１０階調パターンを印刷し、搬送ベルト上に転写された１０階調パターンの濃度を読取る濃度センサ１１を設ける。濃度センサ１１により読取った濃度を制御回路２０により１０階調濃度基準値メモリ２２に格納されている基準値と比較する。制御回路２０はこの比較の結果に基づいて、ＬＥＤヘッドによる感光ドラム表面への光の焦点がボケていると判断する。【選択図】      図１
2005017672.tif 000002
【特許請求の範囲】
【請求項１】
帯電された像担持体表面を露光手段により露光し、露光された部分に付着したトナー画像を、媒体上に転写して記録を行う電子写真記録装置において、
前記媒体上に複数階調パターンを転写する転写手段と、
前記媒体上に転写された前記複数の階調パターンの濃度を読取る濃度読取手段と、
前記濃度読取手段により読取った各濃度を基準値と比較する比較手段と、
前記比較手段による比較の結果に基づいて、前記露光手段による前記像担持体表面への光の露光径の大きさを判断する判断手段とを設けたことを特徴とする電子写真記録装置。
【請求項２】
前記濃度読取手段は前記複数階調パターンの中間部分の濃度を読み取り、
前記判断手段は、前記比較手段による比較の結果、前記濃度読取手段により読取られた濃度が基準値よりも高い場合に、前記露光手段による前記像担持体表面への光の露光径が大きいと判断する請求項１記載の電子写真記録装置。
【請求項３】
前記判断手段は、前記複数階調パターンの濃い部分と薄い部分とに対応する濃度を結ぶ直線から得られる傾きから逸れた濃度が存在する場合に前記露光径が大きいと判断する請求項１記載の電子写真記録装置。
【請求項４】
帯電された像担持体表面を露光手段により露光し、露光された部分に付着したトナー画像を、媒体上に転写して記録を行う電子写真記録装置において、
前記媒体上に、該媒体の移動方向に沿う方向に延在する第１のパターンと、前記移動方向に直交する方向に延在する第１のパターンとを転写し、
前記第１のパターンと第２のパターンの濃度を読取る濃度読取手段と、
前記濃度読取手段により読取った第１のパターンの濃度と第２のパターンの濃度の差を基準値と比較する比較手段と、
前記比較手段による比較の結果、前記濃度読取手段により読取られた濃度が基準値よりも高い場合に、前記露光手段による前記像担持体表面への光の露光径の大きさを判断する判断手段とを設けたことを特徴とする電子写真記録装置。
【発明の詳細な説明】
【０００１】
【発明の属する技術分野】
本発明は、媒体を搬送し、該媒体上にトナー像を転写して記録を行う電子写真記録装置に関する。
【０００２】
【従来の技術】
従来、電子写真記録装置として、記録媒体を搬送ベルト上に静電吸着して搬送し、画像形成機構により形成されたトナー画像を記録媒体上に転写し、さらに定着装置によりトナー画像を記録媒体上に定着させるようにしたものがある。カラーの電子写真記録装置としては、色の異なるトナー画像を形成する４組の画像形成機構を並設し、搬送される記録媒体上に順次色の異なるトナー画像を転写することによりカラー画像を形成する。
【０００３】
上記従来の電子写真記録装置においては、画像形成機構の光学系にＬＥＤヘッドを使用した場合、ＬＥＤヘッドと感光ドラムの表面との間の焦点距離が所定の値に設定されていないと、ＬＥＤヘッドから発せられた光が感光ドラム表面に焦点を結ばない所謂焦点ボケを発生し、所望の大きさの画像よりも大きく潰れた状態の画像が得られることになる。特にカラーの電子写真記録装置においては、焦点ボケの状態ではカラー画像の階調部が所望の色と異なってしまうこともあるという問題がある。
【０００４】
焦点ボケを解決するための方法として、例えば特開平１０−１０４８９６号公報に開示されるものが挙げられる。ここで開示されているのは、光軸方向に焦点位置を順次変化させた複数のテストパターンを搬送ベルト上に転写し、転写されたテストパターンの印刷濃度を個々に検出し、検出された印刷濃度に基づいて露光器の焦点位置が感光体の表面に一致するように調整する技術が開示されている。
【０００５】
【特許文献１】
特開平１０−１０４８９６号公報
【０００６】
【発明が解決しようとする課題】
本発明は、より簡便な仕方で露光手段により形成された露光径の大きさを検出し、焦点ボケを判断する装置を提供することをその課題とする。
【０００７】
【課題を解決するための手段】
上記課題を解決するために本発明は、帯電された像担持体表面を露光手段により露光し、露光された部分に付着したトナー画像を、媒体上に転写して記録を行う電子写真記録装置において、前記媒体上に複数階調パターンを転写し、前記媒体上に転写された前記複数の階調パターンの濃度を読取る濃度読取手段と、前記濃度読取手段により読取った濃度を基準値と比較する比較手段と、前記比較手段による比較の結果に基づいて、前記露光手段による前記像担持体表面への光の露光径の大きさを判断する判断手段とを設けたことを特徴とする。
【０００８】
前記濃度読取手段は前記複数階調パターンの中間部分の濃度を読み取り、前記判断手段は、前記比較手段による比較の結果、前記濃度読取手段により読取られた濃度が基準値よりも高い場合に、前記露光手段による前記像担持体表面への光の露光径が大きいと判断するようにしてもよい。また前記判断手段は、前記複数階調パターンの濃い部分と薄い部分とに対応する濃度を結ぶ直線から得られる傾きから逸れた濃度が存在する場合に前記露光径が大きいと判断するようにしてもよい。
【０００９】
また本発明は、媒体上に、該媒体の移動方向に沿う方向に延在する第１のパターンと、前記移動方向に直交する方向に延在する第１のパターンとを転写し、前記第１のパターンと第２のパターンの濃度を読取る濃度読取手段と、前記濃度読取手段により読取った第１のパターンの濃度と第２のパターンの濃度の差を基準値と比較する比較手段と、前記比較手段による比較の結果、前記濃度読取手段により読取られた濃度が基準値よりも高い場合に、前記露光手段による前記像担持体表面への光の露光径の大きさを判断する判断手段とを設けたことを特徴とするものである。
【００１０】
【発明の実施の形態】
以下、本発明の実施の形態を図面にしたがって説明する。なお各図面に共通する要素には同一の符号を付す。図１は第１の実施の形態の電子写真記録装置の要部を示す制御ブロック図、図２は第１の実施の形態の電子写真記録装置を示す機構構成図である。まず図２を用いて第１の実施の形態の電子写真記録装置を説明する。なお本実施の形態ではカラーの電子写真記録装置を説明する。
【００１１】
図２において、第１の実施の形態の電子写真記録装置１は、４組の印刷機構Ｐ１、Ｐ２、Ｐ３、Ｐ４が記録媒体の給入側（図における右側）から排出側（図における左側）へ順に並設されている。第１印刷機構Ｐ１は、イエローの画像形成カートリッジ２Ｙ、露光手段としてのＬＥＤヘッド３Ｙ、転写ローラ４Ｙおよび像担持体としての感光ドラム５Ｙを備えている。第２、第３および第４の印刷機構Ｐ２、Ｐ３、Ｐ４も同様な構成を有し、それぞれ画像形成カートリッジ２Ｍ、２Ｃ、２Ｋ、露光手段としてのＬＥＤヘッド３Ｍ、３Ｃ、３Ｋ、転写ローラ４Ｍ、４Ｃ、４Ｋおよび像担持体としての感光ドラム５Ｍ、５Ｃ、５Ｋを備えている。各画像形成カートリッジ２Ｙ、２Ｍ、２Ｃ、２Ｋはトナー色が異なるのみで、同一の構成要素で構成される。
【００１２】
各画像形成カートリッジの感光ドラム５と転写ローラ４の間には搬送ベルト６が移動可能に配設されている。搬送ベルト６は、駆動ローラ８および従動ローラ９の間に張設され、駆動ローラの回転により反時計回り方向に移動する。搬送ローラ６の下側にはクリーニング機構１０および濃度センサ１１が配設されている。搬送ベルト６は高抵抗の半導電性プラスチックフィルムからなり、継ぎ目なしのエンドレス状に形成されている。搬送ベルト６の抵抗値は、記録媒体が搬送ベルト６に静電吸着でき、なおかつ記録媒体が搬送ベルト６から分離されるときに搬送ベルト６に残存する静電気が自然除電できるような範囲にある。また搬送ベルト６上にあるトナーはクリーニング機構１０により除去される。
【００１３】
濃度センサ１１は搬送ベルト６の表面（感光ドラムに対向する面）に対向して配置されている。濃度センサ１１は反射型センサで、搬送ベルト６上のトナー像からの反射率を測定することにより、トナー画像の濃度を測定するためのものである。
【００１４】
記録装置１の下方には給紙機構が設けられている。給紙機構は、記録媒体を収容するカセット１２と、記録媒体を繰り出すためのホッピング機構１３とレジストローラ１５、１６とを有する。ホッピング機構１３とレジストローラ１５、１６との間には記録媒体を案内するシートガイド１４が形成されている。記録媒体はホッピング機構１３によりカセット１２から繰り出され、図示しない搬送ローラによりシートガイド１４に案内されてレジストローラ１５、１６まで到達される。レジストローラ１５、１６は、記録媒体の先端部と画像形成カートリッジ２による画像印刷のタイミングをとる。
【００１５】
搬送ベルト６の下流側には定着器１７が設けられている。定着器１７は搬送ベルト６により搬送されてくる、トナー画像が転写された記録媒体上のトナー画像を記録媒体に定着させるもので、トナーを加熱する加熱ローラ１８と加熱ローラ１８とともに記録媒体を加圧する加圧ローラ１９とを有する。加圧ローラ１９は図示しないバネにより過熱ローラ１８を圧接している。加熱ローラ１８と加圧ローラ１９は図示しない駆動手段により回転可能に支持されている。
【００１６】
図１において、第１の実施の形態の電子写真記録装置１は、制御回路２０によりその全体の動作を制御される。制御回路２０には、上述した印刷機構Ｐ１、Ｐ２、Ｐ３、Ｐ４、濃度センサ１１のほかに、１０階調印刷パターンメモリ２１および１０階調濃度基準値メモリ２２が接続されている。
【００１７】
１０階調印刷パターンメモリ２１は、ＬＥＤヘッドの焦点ボケ検出動作において、搬送ベルト６に形成する印刷パターンを格納するものであり、この印刷パターンは１０階調のパターンとなっている。また１０階調濃度基準値メモリ２２は、ＬＥＤヘッドの焦点ボケ検出動作において、濃度センサ１１により検出した印刷パターンの濃度と比較すべき１０階調の濃度基準値が格納しており、濃度基準値との比較により制御回路２０により焦点ボケが判断される。
【００１８】
次に第１の実施の形態における焦点ボケ検出動作を説明する。図３は第１の実施の形態における焦点ボケ検出動作を示すフローチャートである。焦点ボケ検出動作は、実際の記録媒体への印刷動作を行っていないとき、例えば電源投入時等の所定の時期に行われる。
【００１９】
ＬＥＤヘッドの焦点ボケ検出動作の起動がかかると（ステップ１）、制御回路２０は、図示しないモータを駆動し、各印刷機構Ｐ１、Ｐ２、Ｐ３、Ｐ４の各感光ドラム５、各転写ローラ４および駆動ローラ８をそれぞれ回転させる（ステップ２）。制御回路２０は、次に１０階調印刷パターンメモリ２１から１０階調印刷パターンを取り出し、各印刷機構Ｐ１、Ｐ２、Ｐ３、Ｐ４に対してこの印刷パターンを印刷する指示を出す。なおこのとき制御回路２０は、カセット１２から記録媒体を繰り出す指示は出さない。
【００２０】
各印刷機構Ｐ１、Ｐ２、Ｐ３、Ｐ４は、制御回路２０の指示に従って、搬送ベルト６の移動とタイミングをとり、各感光ドラム５上に１０階調のトナー像をそれぞれ形成する。感光ドラム５上のトナー像は、対向する転写ローラ４により、それぞれ搬送ベルト６上に電気的に転写される（ステップ３）。
【００２１】
搬送ベルト６上に転写されたトナー像は、搬送ベルト６の移動により、濃度センサ１１に対向する位置に来る。濃度センサ１１は、制御回路２０の指示に従って、搬送ベルト６上の１０階調のトナー像の濃度を読取る（ステップ４）。読取られた濃度データは制御回路２０へ送られる。
【００２２】
制御回路２０は、濃度センサ１１により読取られたトナー像の１０階調の濃度と、１０階調濃度基準値メモリ２２に格納しておいた１０階調の濃度基準値とそれぞれ比較し、読取られたトナー像の１０階調の濃度が、１０階調の濃度基準値を超える場合には、ＬＥＤヘッドの焦点ボケが発生していると判断する（ステップ５）。
【００２３】
ここでＬＥＤヘッドの焦点ボケが発生している場合の濃度について、図４を用いて説明する。図４は焦点ボケが発生している場合の濃度を説明するための説明図である。図４（ａ）は焦点ボケが発生していない場合の印刷結果を示し、図４（ｂ）は焦点ボケが発生している場合の印刷結果を示す。焦点ボケが発生していない場合、感光ドラム５上には最小径の露光スポットが形成され、ここにトナー画像が形成され、図４（ａ）に示すように、そのトナー画像２５が搬送ベルト６上に転写される。
【００２４】
これに対して焦点ボケが発生している場合、ＬＥＤヘッドから発せられる光が感光ドラム６上に焦点を結ばないために、感光ドラム５上の露光スポットが最小径よりも若干大きい径に形成される。この結果、図４（ｂ）に示すように、若干径の大きいドット２６が形成される。所望の値よりも径の大きいドット２６が形成されると、そのドット２６を含む領域の濃度は領域全体としては高くなる。したがって印刷結果のある領域の濃度が所定値よりも高いか否かで焦点ボケが発生しているか否かを判断することができる。
【００２５】
ＬＥＤヘッドの焦点ボケが発生していると判断した場合、制御回路２０は、ＬＥＤヘッドの焦点ボケが発生している旨のメッセージを図示しない表示部に表示させる（ステップ６）。これによりオペレータは焦点ボケの発生を知ることができる。
【００２６】
ＬＥＤヘッドの焦点ボケが発生していないと判断した場合、制御回路２０は、ＬＥＤヘッドの焦点が合っている旨のメッセージを図示しない表示部に表示させる（ステップ７）。
【００２７】
図５は本実施の形態において実際に１０階調パターンを印刷して濃度を測定した場合の実測値の例を示すグラフである。図において、縦軸は濃度を示し、濃度は数値の大きいほど高くなる。また横軸は階調のレベルを示し、数値の大きいほど階調レベルが高い。図５に示す例では９回の実測値（ａ−ｉ）が示され、そのうち焦点ボケが発生していると判断された例（ＮＧレベル、ｅ−ｉ）は５例で、焦点ボケが発生していないと判断された例（ＯＫレベル、ａ−ｄ）は４例となっている。
【００２８】
図５において、ＯＫレベルは階調のレベルが上がるにつれて総じて直線的に濃度が高くなっているのに対して、ＮＧレベルでは階調レベルの中間の部分（４０乃至６０の部分）で特に濃度が高くなり、ＯＫレベルほど直線的に変化していない。中間の部分（４０乃至６０の部分）で特に濃度が高くなる理由としては、図４（ｂ）に示す、若干径の大きいドットの形成が中間調の濃度に最も大きく影響するからであると考えられる。
【００２９】
以上のことから焦点ボケが発生しているか否かの判断基準として、３通りの仕方が可能である。即ち、その第１として、上述した、図３のフローチャートを用いて説明した仕方で、各階調レベル（１０段階の）においてそれぞれ濃度値を基準値と比較し、いずれかのレベルにおいて測定した濃度値が基準値を上まわった場合に焦点ボケが発生していると判断する仕方である。以下に示す表１は、図５に示す各実測値を数値で表したものである。
【００３０】
【表１】
2005017672.tif 000003
表１において、例えば実測値ｅでは階調レベル５０において濃度が１．０３となっており、基準値を１．０とすればこの時点で焦点ボケであると判断されることになる。
【００３１】
第２の判断の仕方は、焦点ボケの場合は中間階調部分で濃度が高くなる傾向があることから、例えば１０階調のパターン印刷の両端部、即ち、図５における１０レベルおよび１００レベルにおける濃度を結ぶ直線から大きく逸れた濃度が存在する場合に焦点ボケがあると判断する仕方である。例えば、図５において、実測値ｉおよび実測値ｈは、階調レベル５０において、１０レベルおよび１００レベルにおける濃度を結ぶ直線から大きく逸れている。なお濃度の傾きを示す直線は、必ずしも両端部（図５の場合は１０レベルおよび１００レベル）でなくてもよく、両端部に近い濃度を使用して直線を求めてもよい。
【００３２】
第３の判断の仕方は、焦点ボケの場合は中間階調部分で濃度が高くなる傾向があることから、中間階調部分のみの濃度を測定し、測定した濃度を基準値と比較して判断する仕方である。例えば、図５に示す４０−７０階調レベルの濃度だけを測定し、基準値と比較するのである。この方法によると、濃度の測定回数が少なくなり、焦点ボケの検出処理がより簡単になる。
【００３３】
以上のように第１の実施の形態によれば、搬送ベルト６に階調パターンを印刷して搬送ベルト６上のトナー像の濃度を濃度センサ１１で読取り、基準値と比較して焦点ボケの有無を判断しているので、実際に記録媒体に印刷することなく焦点ボケの有無が分かるとともに、より簡便な方法で焦点ボケの有無が分かるという効果がある。なお上記実施の形態では１０階調の印刷バターンを搬送ベルト上に印刷して焦点ボケを検出するようにしたが、階調数は１０に限定されないことは言うまでもない。
【００３４】
次に第２の実施の形態を説明する。図６は第２の実施の形態の電子写真記録装置の要部を示す制御ブロック図である。なお第２の実施の形態は、機構的構成は第１の実施の形態の電子写真記録装置１と同様である。図６において、制御回路３０は装置の動作全体を制御するもので、制御回路３０には、第１の実施の形態で説明した印刷機構Ｐ１、Ｐ２、Ｐ３、Ｐ４および濃度センサ１１のほかに、縦横バー印刷パターンメモリ３１および縦横バー濃度基準値メモリ３２が接続されている。
【００３５】
縦横バー印刷パターンメモリ３１は、ＬＥＤヘッドの焦点ボケ検出動作において、搬送ベルト６に形成する縦バー及び横バーの印刷パターンを格納するものである。また縦横バー濃度基準値メモリ３２は、ＬＥＤヘッドの焦点ボケ検出動作において、濃度センサ１１により検出した縦バーの濃度と横バーの濃度との差と比較すべき濃度基準値が格納しており、濃度基準値との比較により制御回路３０により焦点ボケの有無が判断される。
【００３６】
次に第２の実施の形態の焦点ボケ検出動作を図２および図７に示すフローチャートに従って説明する。ＬＥＤヘッドの焦点ボケ検出動作の起動がかかると（ステップ１１）、制御回路３０は、図示しないモータを駆動し、各印刷機構Ｐ１、Ｐ２、Ｐ３、Ｐ４の各感光ドラム５、各転写ローラ４および駆動ローラ８をそれぞれ回転させる（ステップ１２）。制御回路３０は、次に縦横バー印刷パターンメモリ３１から縦バーおよび横バーの印刷パターンを取り出し、各印刷機構Ｐ１、Ｐ２、Ｐ３、Ｐ４に対してこの印刷パターンを印刷する指示を出す。
【００３７】
各印刷機構Ｐ１、Ｐ２、Ｐ３、Ｐ４は、制御回路３０の指示に従って、搬送ベルト６の移動とタイミングをとり、各感光ドラム５上に縦バーおよび横バーのトナー像をそれぞれ形成する。感光ドラム５上のトナー像は、対向する転写ローラ４により、それぞれ搬送ベルト６上に電気的に転写される（ステップ１３）。
【００３８】
図８は搬送ベルト６に印刷された縦バーおよび横バーを示す。図８において、縦バーのパターン３３および横バーのパターン３４が印刷される。なおここで縦方向というのは、副走査方向（搬送ベルト６の移動方向）をいい、横方向というのは主走査方向（搬送ベルト６の移動方向に直交する方向）をいう。
【００３９】
搬送ベルト６上に転写されたトナー像は、搬送ベルト６の移動により、濃度センサ１１に対向する位置に来る。濃度センサ１１は、制御回路３０の指示に従って、搬送ベルト６上の縦バーおよび横バーのトナー像の濃度を読取る（ステップ１４）。読取られた濃度データは制御回路３０へ送られる。
【００４０】
制御回路３０は、濃度センサ１１により読取られた縦バーの濃度と横バーの濃度との差を求める。そして縦横バー濃度基準値メモリ３２に格納しておいた濃度基準値と求めた濃度差とを比較し、求めた濃度差が、濃度基準値を超える場合には、ＬＥＤヘッドの焦点ボケが発生していると判断する（ステップ１５）。
【００４１】
ＬＥＤヘッドの焦点ボケが発生していると判断した場合、制御回路３０は、ＬＥＤヘッドの焦点ボケが発生している旨のメッセージを図示しない表示部に表示させる（ステップ１６）。これによりオペレータは焦点ボケの発生を知ることができる。
【００４２】
またＬＥＤヘッドの焦点ボケが発生していないと判断した場合、制御回路３０は、ＬＥＤヘッドの焦点が合っている旨のメッセージを図示しない表示部に表示させる（ステップ１７）。
【００４３】
図９は搬送ベルト６に印刷された縦バーおよび横バーの濃度を濃度センサ１１により読取った実測値を示すグラフである。図９において、縦軸は濃度を示し、濃度は数値の大きいほど高くなる。また横軸は焦点距離を変えて測定した場合を示し、ｊの場合は焦点距離が合っている場合であり、右方向へ行くにつれて焦点距離を大きくしてある。即ち、ｓの場合が焦点距離が最も大きくずれている。
【００４４】
図９から分かるように、焦点距離があっている場合は、縦バーの濃度と横バーの濃度の差はほとんど無いか、あっても極小さい。焦点距離のずれが大きくなると、縦バーの濃度と横バーの濃度の差が徐々に大きくなっていく。したがって縦バーの濃度と横バーの濃度の差が所定値を超えると焦点ボケが発生すると判断することができる。以下に示す表２は、図９に示す各実測値を数値で表したものである。
【００４５】
【表２】
2005017672.tif 000004
表２において、例えばｏの場合は縦バーの濃度と横バーの濃度の差が０．０７となっており、基準値を０．０５とすれば焦点ボケであると判断されることになる。
【００４６】
以上のように第２の実施の形態によれば、搬送ベルト６に縦横バーのパターンを印刷して搬送ベルト６上のトナー像の濃度を濃度センサ１１で読取り、縦バーの濃度と横バーの濃度との差を基準値と比較して焦点ボケの有無を判断しているので、実際に記録媒体に印刷することなく焦点ボケの有無が分かるとともに、より簡便な方法で焦点ボケの有無が分かるという効果がある。さらに第２の実施の形態においては、多くの階調の印刷をしなくてすむので、検出時間が短縮されるとともに、検出に使用されるトナーの量も少なくて済む。
【００４７】
検出パターンは、搬送ベルト上や印刷媒体や中間転写ベルト上に印刷することが可能である。
【００４８】
【発明の効果】
以上詳細に説明したように本発明によれば、媒体上に複数階調パターンを転写し、媒体上に転写された複数階調パターンの濃度を読取る濃度読取手段と、濃度読取手段により読取った濃度を基準値と比較する比較手段と、比較手段による比較の結果に基づいて、露光手段による像担持体表面への光の露光径の大きさを判断する判断手段とを設けたので、または、媒体上に、該媒体の移動方向に沿う方向に延在する第１のパターンと、前記移動方向に直交する方向に延在する第１のパターンとを転写し、前記第１のパターンと第２のパターンの濃度を読取る濃度読取手段と、濃度読取手段により読取った第１のパターンの濃度と第２のパターンの濃度の差を基準値と比較する比較手段と、比較手段による比較の結果、濃度読取手段により読取られた濃度が基準値よりも高い場合に、露光手段による像担持体表面への光の露光径の大きさを判断する判断手段とを設けたことにより、より簡便な方法で焦点ボケを検出することが可能となる。
【図面の簡単な説明】
【図１】第１の実施の形態の電子写真記録装置の要部を示す制御ブロック図である。
【図２】第１の実施の形態の電子写真記録装置を示す機構構成図である。
【図３】第１の実施の形態における焦点ボケ検出動作を示すフローチャートである。
【図４】焦点ボケが発生している場合の濃度を説明するための説明図である。
【図５】濃度の実測値の例を示すグラフである。
【図６】第２の実施の形態の電子写真記録装置の要部を示す制御ブロック図である。
【図７】第２の実施の形態における焦点ボケ検出動作を示すフローチャートである。
【図８】縦横バーの印刷パターンを示す説明図である。
【図９】縦横バーの濃度の実測値を示すグラフである。
【符号の説明】
１  電子写真記録装置
３、３Ｙ、３Ｍ、３Ｃ、３Ｋ  ＬＥＤヘッド
５、５Ｙ、５Ｍ、５Ｃ、５Ｋ  感光ドラム
６  搬送ベルト
１１  濃度センサ
２０、３０  制御回路
【図１】
2005017672.tif 000005
【図２】
2005017672.tif 000006
【図３】
2005017672.tif 000007
【図４】
2005017672.tif 000008
【図５】
2005017672.tif 000009
【図６】
2005017672.tif 000010
【図７】
2005017672.tif 000011
【図８】
2005017672.tif 000012
【図９】
2005017672.tif 000013